(57)【要約】【課題】地球温暖化防止、都市部におけるヒートアイランド現象の緩和に貢献することのできる緑化構造及び緑化方法を提供する。【解決手段】上方が開放された空間に設置された屋根状の覆い３と、覆い３を空間内で保持する柱４等の保持手段と、覆い３の上に設置された緑化設備５とを備える緑化構造等。上方が開放された空間であればどこにでも緑化設備５を形成することができ、従来のような建築物の屋上等に限らず、都市部のかなりの部分を緑化対象とすることができるため、地球温暖化防止等の効果が大きい。特に、夏場に高温となる墓石２等が多数配置された墓地１に設置することで大きな効果が期待できる。上方が開放された空間は、墓地１の他、例えば、駐車場、橋梁、競技用敷地、鉄道又は路面電車の線路、屋根のないプラットホーム又は停留所、あるいは堀川等の上方の空間とすることができる。【選択図】図１
2007120094.tif 000002
【特許請求の範囲】
【請求項１】
上方が開放された空間に設置された屋根状の覆いと、
該覆いを前記空間内で保持する保持手段と、
前記覆いの上に設置された緑化設備とを備えることを特徴とする緑化構造。
【請求項２】
前記上方が開放された空間は、墓地、駐車場、橋梁、競技用敷地、鉄道又は路面電車の線路、屋根のないプラットホーム又は停留所、あるいは堀川の上方の空間であることを特徴とする請求項１に記載の緑化構造。
【請求項３】
上方が開放された空間に屋根状の覆いを設置し、
該覆いを前記空間内で保持し、
前記覆いの上に緑化設備を設置することを特徴とする緑化方法。
【請求項４】
前記上方が開放された空間は、墓地、駐車場、橋梁、競技用敷地、鉄道又は路面電車の線路、屋根のないプラットホーム又は停留所、あるいは堀川の上方の空間であることを特徴とする請求項３に記載の緑化方法。
【発明の詳細な説明】
【技術分野】
【０００１】
本発明は、緑化構造及び緑化方法に関し、特に、地球温暖化の防止、及び都市部におけるヒートアイランド現象の緩和等を目的とする緑化構造及び緑化方法に関する。
【背景技術】
【０００２】
石油や石炭等の化石燃料を燃焼させることによって発生するＣＯ2（二酸化炭素）は、温室効果ガスの一種であり、近年の生産活動の増加により大気への排出量が増加し、地球温暖化に大きな影響を与えている。
【０００３】
また、都市部では、樹木が少なく、地面がアスファルトに覆われ、コンクリート製の建築物が多く、エネルギー消費量も多いことなどが原因で、局所的に高温地域が現れるヒートアイランド現象が発生し、大気汚染物質が増加したり、生態系のバランスが崩れるなど、種々の弊害が現れている。
【０００４】
そこで、コンクリート建築物等の屋上部分に芝生を敷いたり、植栽して緑化し、断熱作用によってＣＯ2排出量を低減し、都市部におけるヒートアイランド現象を緩和する試みも数多くなされている。また、既存の公園等に緑地を増やし、ＣＯ2の排出量を削減し、ヒートアイランド現象を緩和することも積極的に行われている。
【０００５】
また、同様の目的で、例えば、特許文献１には、環境を汚染せず、水面の緑化を図ることができる浮島を提供するため、軽石と、溶岩粒体とを少なくとも含有する浮島であって、表面を溶岩粒体で覆い、樹皮を固着し、苔を植設する浮島が提案されている。
【０００６】
【特許文献１】特開２００２−３５４９５１号公報
【発明の開示】
【発明が解決しようとする課題】
【０００７】
しかし、コンクリート建築物等の屋上部分は、都市部全体のごく一部に限られているため、この部分のみを緑化しても、ＣＯ2の低減、ヒートアイランド現象の緩和に貢献する度合いは小さいと言わざるを得ない。また、既存の公園等における緑地の増加についても、ＣＯ2の低減等に大きな期待を寄せることはできない。さらに、特許文献１に記載の技術は、水面の緑化を意図するものであって、水面以外の領域には適用することができない。
【０００８】
そこで、本発明は、上記問題点に鑑みてなされたものであって、ＣＯ2排出量の削減による地球温暖化防止、都市部におけるヒートアイランド現象の緩和に大きく貢献することのできる緑化構造及び緑化方法を提供することを目的とする。
【課題を解決するための手段】
【０００９】
上記目的を達成するため、本発明は、緑化構造であって、上方が開放された空間に設置された屋根状の覆いと、該覆いを前記空間内で保持する保持手段と、前記覆いの上に設置された緑化設備とを備えることを特徴とする。
【００１０】
そして、本発明によれば、上方が開放された空間に屋根状の覆いを設け、保持手段によって保持し、覆いの上に緑化設備を設置することで、上方が開放された空間であればどこにでもに緑化設備を形成することができるため、従来のような建築物の屋上等に限らず、都市部のかなりの部分を緑化対象とすることが可能となり、地球温暖化防止、都市部におけるヒートアイランド現象の緩和に大きく貢献することができる。
【００１１】
前記緑化構造において、前記上方が開放された空間は、墓地、駐車場、橋梁、競技用敷地、鉄道又は路面電車の線路、屋根のないプラットホーム又は停留所、あるいは堀川の上方の空間とすることができる。特に、真夏に温度が極端に上昇する墓石等を多数備えた墓地等に、本発明にかかる緑化構造を適用することにより、地球温暖化防止、ヒートアイランド現象の緩和の効果がより大きくなる。
【００１２】
また、本発明は、緑化方法であって、上方が開放された空間に屋根状の覆いを設置し、該覆いを前記空間内で保持し、前記覆いの上に緑化設備を設置することを特徴とする。この方法を用いることにより、上述のように、都市部全体のかなりの部分を緑化対象とすることができ、地球温暖化防止等に大きく貢献することができる。
【００１３】
また、前記上方が開放された空間を、墓地、駐車場、橋梁、競技用敷地、鉄道又は路面電車の線路、屋根のないプラットホーム又は停留所、あるいは堀川の上方の空間とし、上記と同様の効果を奏することができる。
【発明の効果】
【００１４】
以上のように、本発明によれば、地球温暖化防止、都市部におけるヒートアイランド現象の緩和に大きく貢献することのできる緑化構造及び緑化方法を提供することができる。
【発明を実施するための最良の形態】
【００１５】
次に、本発明の実施の形態について図面を参照しながら説明する。尚、以下の説明においては、本発明にかかる緑化構造及び緑化方法を既存の墓地に適用した場合を例にとって説明する。
【００１６】
図１に示すように、多数の墓石２が配置された墓地１の上に屋根状の覆い３と、この覆い３を保持する複数の柱４を設け、覆い３の上に緑化設備５を設置する。
【００１７】
緑化設備５では、植樹を行ったり、草花を育成する。樹木や草花へ水、養分を補給するため、スプリンクラー６や、その他必要な設備を設ける。これによって、特に真夏に墓石が高温になることを防止し、ヒートアイランド現象の緩和に資するとともに、緑化によってＣＯ2の削減に寄与することができる。尚、覆い３の上には、樹木や草花等の育成のための通路等、緑化設備５のメンテナンス作業用設備等も付設される。
【００１８】
また、覆い３の上に、風車７を設置して風力発電によって生じた電気を緑化設備５に用いたり、ＬＥＤを用いた照明器具８等に用いることもでき、緑化設備５でのエネルギー消費を最低限に抑えることができる。また、緑化設備５等に限らず、墓地１に設置された設備、又は墓地１の近傍に位置する建物等のエネルギーとして用いてもよい。
【００１９】
さらに、覆い３の上の照明器具８を、植栽する樹木や、樹木の周辺にイルミネーションとしたり、その他のデコレーションとして用いることもできる。これによって、景観を向上させ、墓地１を含む周辺の建物等の不動産価値を高めることができる。
【００２０】
また、覆い３上に看板９、広告塔等を設置してもよく、墓地１を所有する寺院の広告収入を確保し、経営の効率化を図るととともに、檀家の経費負担の軽減を図ることもできる。
【００２１】
尚、上記実施の形態では、本発明にかかる緑化構造及び緑化方法を墓地１に適用した場合を例にとって説明したが、本発明は、墓地１以外にも、駐車場、橋梁、競技用敷地、鉄道又は路面電車の線路、屋根のないプラットホーム又は停留所、あるいは堀川等、上方が開放された空間に適用することができ、これらの場所の上方の空間に屋根状の覆いを設け、覆いを下方等から保持し、覆いの上に緑化設備を設置することで、墓地１の場合と同様、地球温暖化防止、都市部におけるヒートアイランド現象の緩和に貢献することができる。
【図面の簡単な説明】
【００２２】
【図１】本発明にかかる緑化構造及び緑化方法の一実施の形態を示す概略図である。
【符号の説明】
【００２３】
１  墓地
２  墓石
３  覆い
４  柱
５  緑化設備
６  スプリンクラー
７  風車
８  照明器具
９  看板
【図１】
2007120094.tif 000003